(57)【要約】【課題】ユーザの必要性を適切に判定して端末の不正利用を防止し、且つ、ユーザの利便性も同時に高めること。【解決手段】この携帯電話端末１は、ユーザから音声入力を受けて入力音声信号に変換する音声入力部１１と、入力音声信号との照合用のキーワードに対応する音声データと、入力音声信号のレベルと比較するための閾値データとを対応付けて格納する音声データ格納部１３と、操作ロック機能を実行する操作ロック実行部１４と、ユーザの音声入力と音声データの示す音質との一致を判定するとともに、入力音声信号の平均レベルと閾値データとを比較し、音声入力信号と音質とが一致し、かつ、平均レベルが閾値データの示すレベル以下の場合に、操作ロック機能を実行するように制御する制御部１７とを備える。【選択図】図１
2011205240.tif 000002
【特許請求の範囲】
【請求項１】
ユーザから音声入力を受けて入力音声信号に変換する音声入力手段と、
前記入力音声信号との照合用のキーワードに対応する音声データと、前記入力音声信号のレベルと比較するための閾値データとを対応付けて格納する照合用データ格納手段と、
ユーザからの入力操作を無効化する操作ロック機能を実行する操作ロック実行手段と、
前記入力音声信号と前記音声データとを照合してユーザの音声入力と前記音声データの示す音質との一致を判定するとともに、前記入力音声信号の平均レベルと前記閾値データとを比較し、前記音声入力信号と前記音質とが一致し、かつ、前記平均レベルが前記閾値データの示すレベル以下の場合に、前記操作ロック機能を実行するように前記操作ロック実行手段を制御する制御手段と、
を備えることを特徴とする携帯端末。
【請求項２】
前記携帯端末の動きを検出する動き検出手段をさらに備え、
前記制御手段は、前記動き検出手段によって検出された検出値に応じて、前記検出値が所定範囲の場合に、前記操作ロック機能を実行するように制御する、
ことを特徴とする請求項１記載の携帯端末。
【請求項３】
携帯端末が、ユーザから音声入力を受けて入力音声信号に変換する音声入力ステップと、
前記携帯端末が、前記入力音声信号との照合用のキーワードに対応する音声データと、前記入力音声信号のレベルと比較するための閾値データとを対応付けて格納する照合用データ格納ステップと、
前記携帯端末が、前記入力音声信号と前記音声データとを照合してユーザの音声入力と前記音声データの示す音質との一致を判定するとともに、前記入力音声信号の平均レベルと前記閾値データとを比較し、前記音声入力信号と前記音質とが一致し、かつ、前記平均レベルが前記閾値データの示すレベル以下の場合に、ユーザからの入力操作を無効化する操作ロック機能を実行するように制御する制御ステップと、
を備えることを特徴とする携帯端末における操作ロック制御方法。
【発明の詳細な説明】
【技術分野】
【０００１】
本発明は、携帯端末及び操作ロック制御方法に関するものである。
【背景技術】
【０００２】
従来から、携帯電話端末、ＰＤＡ（Personal Digital Assistants）等の携帯端末には、個人情報の保護や不正利用の防止のためにユーザによる端末の操作を無効にする「端末ロック機能」が備えられている。従来の携帯端末の端末ロック機能は、端末のディスプレイの開閉動作の検出後や、ボタン操作を検出してから一定時間の経過後に自動的に起動されるのが一般的である。また、携帯端末本体と遠隔で通信する携帯用の小型通信端末を用意しておき、その小型通信端末との距離が一定距離以上であることを検出した場合に端末ロック機能が起動されるような携帯端末も知られている。
【０００３】
さらには、携帯電話機を他人に利用されることを防止するために、入力音声と予め登録された解除コードとの一致、不一致を判断して、その判定結果に応じてロックされた機能を解除する解除機能を備えた携帯電話機も知られている（下記特許文献１参照。）。
【先行技術文献】
【特許文献】
【０００４】
【特許文献１】特開２００５−２８３８４３号公報
【発明の概要】
【発明が解決しようとする課題】
【０００５】
しかしながら、上述した従来の携帯端末では、端末に対して所定の操作を行わないと端末ロック機能を起動することができないため、操作が煩雑である。また、一定時間経過しただけで端末ロック機能が起動されてしまうため、ユーザが意図しない場合にも操作が不能となり、利便性が低下してしまう。さらには、小型通信端末を用意する必要があるため、事前設定等の余計な作業が必要となり、利便性が低下する。
【０００６】
一方、入力音声の判定結果によって端末ロック機能を制御する場合は、ユーザの端末に対する操作負担は軽減されるが、携帯端末とユーザとの距離に関係なく端末ロック機能の切替が制御されてしまうため、ユーザの必要性に応じた機能の切替が困難である。
【０００７】
そこで、本発明は、かかる課題に鑑みて為されたものであり、ユーザの必要性を適切に判定して端末の不正利用を防止し、且つ、ユーザの利便性も同時に高めることが可能な携帯端末及び操作ロック制御方法を提供することを目的とする。
【課題を解決するための手段】
【０００８】
上記課題を解決するため、本発明の携帯端末は、ユーザから音声入力を受けて入力音声信号に変換する音声入力手段と、入力音声信号との照合用のキーワードに対応する音声データと、入力音声信号のレベルと比較するための閾値データとを対応付けて格納する照合用データ格納手段と、ユーザからの入力操作を無効化する操作ロック機能を実行する操作ロック実行手段と、入力音声信号と音声データとを照合してユーザの音声入力と音声データの示す音質との一致を判定するとともに、入力音声信号の平均レベルと閾値データとを比較し、音声入力信号と音質とが一致し、かつ、平均レベルが閾値データの示すレベル以下の場合に、操作ロック機能を実行するように操作ロック実行手段を制御する制御手段とを備える。
【０００９】
或いは、本発明の端末ロック制御方法は、携帯端末が、ユーザから音声入力を受けて入力音声信号に変換する音声入力ステップと、携帯端末が、入力音声信号との照合用のキーワードに対応する音声データと、入力音声信号のレベルと比較するための閾値データとを対応付けて格納する照合用データ格納ステップと、携帯端末が、入力音声信号と音声データとを照合してユーザの音声入力と音声データの示す音質との一致を判定するとともに、入力音声信号の平均レベルと閾値データとを比較し、音声入力信号と音質とが一致し、かつ、平均レベルが閾値データの示すレベル以下の場合に、ユーザからの入力操作を無効化する操作ロック機能を実行するように制御する制御ステップと、を備える。
【００１０】
このような携帯端末及び端末ロック制御方法によれば、予め照合用のキーワードに対応する音声データが、音声信号のレベルを示す閾値データと対応付けて格納され、ユーザからの音声入力に応じて生成された入力音声信号と所定のキーワードに対応する音声データとが一致し、かつ、その入力音声信号の平均レベルが閾値データの示すレベル以下の場合に、操作ロック機能が実行される。これにより、端末と離れた位置からでもユーザの煩雑な操作を必要とすることなく、確実に端末の不正利用を防止することができる。さらには、音声入力の平均レベルによってユーザの端末からの距離を簡易に判断することによって、例えば、ユーザの手元に端末が存在しない状態を判断することができるので、余計な操作や装置を必要とすること無しに、ユーザの必要度に応じた操作ロックを適切に実行させることができる。
【００１１】
携帯端末の動きを検出する動き検出手段をさらに備え、制御手段は、動き検出手段によって検出された検出値に応じて、検出値が所定範囲の場合に、操作ロック機能を実行するように制御することが好ましい。この場合、端末の動きの程度によって端末がユーザの手元にあるか否かを判定して、その判定結果に応じて操作ロック機能を実行することで、ユーザの必要度に対応した端末ロック機能をより適切に実行させることができる。
【発明の効果】
【００１２】
本発明によれば、ユーザの必要性を適切に判定して端末の不正利用を防止し、且つ、ユーザの利便性も同時に高めることができる。
【図面の簡単な説明】
【００１３】
【図１】本発明の好適な一実施形態にかかる携帯電話端末の概略構成図である。
【図２】図１の音声データ格納部に格納されるデータの構成を示す図である。
【図３】図１の携帯電話端末による音声データの事前登録処理を示すフローチャートである。
【図４】図１の携帯電話端末による操作ロックの起動制御処理を示すフローチャートである。
【発明を実施するための形態】
【００１４】
以下、図面とともに本発明による携帯端末及び操作ロック制御方法の好適な実施形態について詳細に説明する。なお、図面の説明においては同一要素には同一符号を付し、重複する説明を省略する。
【００１５】
図１は、本発明の好適な一実施形態にかかる携帯電話端末１の概略構成図である。図１に示すように、本実施形態にかかる携帯電話端末１は、音声通信機能、電子メール送受信機能等のデータ通信機能を有する携帯用端末装置であり、ＩＭＴ−２０００（International Mobile Telecommunication 2000）、ＰＤＣ（Personal Digital Cellular）等の移動体通信方式によって通信網（図示せず）に接続されることによって、通信網との間で音声通信及びデータ通信を行うことが可能とされている。なお、本発明はこのような通信機能を有する携帯電話端末に限定されるものではなく、ＰＤＡ等の携帯端末に広く適用されうる。
【００１６】
この携帯電話端末１は、機能的な構成要素として、音声入力部（音声入力手段）１１と、音声データ登録部１２と、音声データ格納部（照合用データ格納手段）１３と、操作ロック実行部（操作ロック実行手段）１４と、入力受付部１５と、動きセンサ部（動き検出手段）１６と、制御部（制御手段）１７とを備えている。以下、携帯電話端末１の各構成要素について詳細に説明する。
【００１７】
音声入力部１１は、ユーザから発せされた声を音声入力として受けて、その音声入力をデジタル信号である入力音声信号に変換する。このような音声入力部１１は、例えば、スピーカ、アンプ、ＣＯＤＥＣ等によって構成されており、音声通信用の音声入力部（図示せず）とは別に設けられている。音声入力部１１は、入力音声信号を生成した際には、その入力音声信号を制御部１７及び音声データ登録部１２に引き渡す。
【００１８】
入力受付部１５は、ユーザによるタッチパネルや入力キーを用いた入力データを検出し、その入力データを制御部１７及び音声データ登録部１２に引き渡す機能を有する。また、入力受付部１５は、操作ロック実行部１４によって操作ロック機能が起動されている間は、操作ロック実行部１４と連携してユーザからの入力データを無効にする機能も有する。入力データを無効化する際には、ユーザからの入力データ自体を破棄してもよいし、制御部１７を介してその入力データの履歴を記憶しつつ、入力データを他のアプリケーションプログラム等の機能部に引き渡さないように動作してもよい。
【００１９】
音声データ登録部１２は、事前にユーザから、入力音声信号との照合用のキーワードに対応する音声データと、入力音声信号の平均レベルと比較するための閾値データとの組み合わせデータの登録を受け付け、これらの組み合わせデータを音声データ格納部１３に格納する。この組み合わせデータは、ユーザからの入力操作を無効化するための操作ロック機能を起動（実行）するか否かを判断するためのデータである。このような組み合わせデータの登録は、入力受付部１５を介したユーザからの登録指示の受け付けを契機に開始され、音声データ登録部１２は、ユーザから発せられた特定のキーワードを表す音声を受けて音声入力部１１によって生成された入力音声信号を、所定のデータ形式に変換して音声データとして記憶する。さらに、音声データ登録部１２は、音声データの登録に併せて、入力受付部１５と連携してユーザから入力音声信号に対応するキーワードと、閾値データとを受け付け、そのキーワード及び閾値データを音声データに関連付けて記憶する。
【００２０】
ここで、音声データ登録部１２は、入力受付部１５を経由してユーザから受け付けられた閾値データを記憶する機能以外に、ユーザによって事前登録された音声データの平均レベルを算出して、その平均レベルに基づいて閾値データを計算する機能も有する。この際、音声データ登録部１２は、同じキーワードについてユーザから発せされた複数回の入力音声に基づいて、複数の音声データを生成し、その複数の音声データ全体の平均レベルを基に閾値データを計算してもよい。このようにすれば、ユーザの所望する環境（端末とユーザとの間の距離や、音響伝達特性等）に応じて適切な閾値レベルを容易に設定することができる。
【００２１】
図２には、音声データ格納部１３に格納された照合用組み合わせデータの構成の一例を示している。同図に示すように、音声データ格納部１３には、キーワード“おふろ”をユーザが発声したときの音声入力レベル（音圧レベル）の時間変化を示す音声データ“Ｖ１（ｔ）”と、音声入力レベルの閾値データ“Ｓ１［ｄB］”とが対応付けて格納される。
【００２２】
図１に戻って、操作ロック実行部１４は、入力受付部１５及び制御部１７と連携して、ユーザから入力受付部１５を介して受け付けた入力操作を無効化する操作ロック機能を実行する。具体的には、操作ロック実行部１４は、制御部１７からの起動トリガーを受けることで起動され、ユーザから受け付けられた入力データを無効化する。例えば、操作ロック実行部１４は、ユーザからの入力データを制御部１７に引き渡すことなく破棄する。または、操作ロック実行部１４は、制御部１７を介してその入力データの履歴を記憶しつつ、入力データを他のアプリケーションプログラム等の機能部に引き渡さないように動作する。こうすれば、不正なユーザによる操作を防止しながら、操作の履歴を残すことが可能になる。
【００２３】
動きセンサ部１６は、携帯電話端末１の動きを検出して、その動きを数値化した検出値を制御部１７に引き渡す。詳細には、動きセンサ部１６としては、半導体素子を用いた各種加速度センサを採用することができ、携帯電話端末１の複数軸に沿った加速度や、傾き角、揺れ具合等を数値化した検出値を出力する回路素子が用いられる。
【００２４】
制御部１７は、携帯電話端末１において実行される通信機能や、ＷＥＢブラウジング機能、電子メール機能、電話帳データ等の携帯電話端末１内に記憶されたデータに関するデータ参照機能等の各種機能を統括的に制御する部分である。また制御部１７は、入力受付部１５を介して受け付けられた入力データを各機能部に引き渡すことも行う。
【００２５】
さらに、制御部１７は、動きセンサ部１６から渡された検出値を監視し、その検出値が所定範囲内であるか否かを判定し、その判定結果に基づいて、さらに以下のような判定処理を実行する。すなわち、動きセンサ部１６の検出値が所定値以下である場合、言い換えれば、携帯電話端末１が静止状態に近いと判断される場合には、ユーザからの音声入力を基に、その音声入力の音質が登録データに一致するか否か、及び音声入力の平均レベルが登録データの示す閾値レベル以下であるか否かを判定する。
【００２６】
詳細には、制御部１７は、ユーザからの音声入力を元に生成された音声入力信号と、音声データ格納部１３に格納された全ての組み合わせデータに含まれる音声データＶ１（ｔ），Ｖ２（ｔ），…とを照合し、互いの音声波形が近似している音声データＶ１（ｔ），Ｖ２（ｔ），…が存在するか否かを判断する。ここで、制御部１７は、音声入力信号と音声データＶ１（ｔ），Ｖ２（ｔ），…とを時間波形データのままで照合することもできるし、時間波形データを切り出してＭＦＣＣ（Mel Frequency Cepstrum Coefficient）等の複数の特徴量に変換した後に照合することもできる。
【００２７】
そして、制御部１７は、近似している音声データＶｋ（ｔ）を抽出できた場合に、組み合わせデータからその音声データＶｋ（ｔ）に対応する閾値データＳｋを特定し、その閾値データとユーザからの音声入力の平均レベルとを比較する。その際、制御部１７は、音声入力信号の平均レベルを算出し、その平均レベルが閾値データＳｋの示す閾値レベル以下であるか否かを判定する。さらに、制御部１７は、音声入力信号の平均レベルが閾値レベル以下の場合に、操作ロック機能を起動するように操作ロック実行部１４に対して起動トリガーを送出する。
【００２８】
次に、図３及び図４を参照して、携帯電話端末１の動作について説明するとともに、併せて携帯電話端末１における操作ロック制御方法について詳述する。図３は、携帯電話端末１における照合用の組み合わせデータ登録時の動作を示すフローチャート、図４は、携帯電話端末１による操作ロック機能の起動制御時の動作を示すフローチャートである。
【００２９】
まず、図３を参照して、照合用データの事前登録動作について説明する。最初に、入力受付部１５により、ユーザから照合用音声データの事前登録の開始指示が受け付けられる（ステップＳ１０１）。そうすると、音声入力部１１によってユーザから音声入力が受け付けられ、その音声入力が入力音声信号に継続して変換される（ステップＳ１０２）。その後、入力受付部１５により、ユーザから音声データの登録終了指示が受け付けられると、ユーザからの一連のキーワードに対応する入力音声信号が照合用の音声データとして生成される（ステップＳ１０３）。次に、入力受付部１５によって、ユーザから、照合用音声データに対応するキーワード及び閾値データの入力が受け付けられる（ステップＳ１０４）。ここでは、既に述べたように、音声データ登録部１２によって照合用音声データに基づいて閾値データが算出されてもよい。その後、音声データ登録部１２によって、照合用の音声データとキーワード及び閾値データとが対応付けられて音声データ格納部１３に格納される（ステップＳ１０５）。そして、音声データ登録部１２により、ユーザから複数の音声データの登録指示が受け付けられたか否かが判定され（ステップＳ１０６）、登録指示が受け付けられた場合はステップＳ１０２に処理が戻されて次の照合用音声データの登録が繰り返され、登録指示が受け付けられなかった場合は、事前登録処理が終了される。
【００３０】
図４に移って、操作ロック機能の起動制御時の動作を説明する。ステップＳ２０１では、ユーザから携帯電話端末１の起動が受け付けられた状態を示している。そうすると、携帯電話端末１の各種機能が起動され、携帯電話端末１は音声通信及びデータ通信の着信の待ち受けが可能な待ち受け状態に遷移する（ステップＳ２０２）。
【００３１】
その後、制御部１７は、動きセンサ部１６によって検出された検出値を継続して取得する（ステップＳ２０３）。そして、制御部１７は、取得した検出値が予め定められた閾値以下であるか否かを判定する（ステップＳ２０４）。判定の結果、検出値が閾値を超えている場合は（ステップＳ２０４；ＮＯ）、処理がステップＳ２０２に戻され、携帯電話端末１の待ち受け状態が継続される。
【００３２】
一方、検出値が閾値以下の場合であって、携帯電話端末１が静止状態にあると判断される場合には（ステップＳ２０４；ＹＥＳ）、音声入力部１１がユーザからの音声入力を検出可能な状態に設定される（ステップＳ２０５）。その後、ユーザからの音声入力が検出されると、それに伴って音声入力部１１によって生成される入力音声信号が、制御部１７に継続的に渡される（ステップＳ２０６）。
【００３３】
これに対して、制御部１７は、音声入力部１１から渡された入力音声信号と、音声データ格納部１３に格納された全ての照合用音声データとを照合する（ステップＳ２０７）。その結果、入力音声信号と近似している照合用音声データが存在しない場合には（ステップＳ２０７；ＮＯ）、処理がステップＳ２０２に戻され、携帯電話端末１の待ち受け状態が継続される。
【００３４】
一方、入力音声信号と近似している照合用音声データが存在する場合には（ステップＳ２０７；ＹＥＳ）、制御部１７は、入力音声信号の平均レベルを算出する（ステップＳ２０８）。次に、制御部１７は、算出した平均レベルが、該当の照合用音声データに対応する閾値データの示すレベル以下であるか否かを判定する（ステップＳ２０９）。判定の結果、入力音声信号の平均レベルが閾値データのレベルを超えている場合には（ステップＳ２０９；ＮＯ）、処理がステップＳ２０２に戻され、携帯電話端末１の待ち受け状態が継続される。
【００３５】
これに対して、入力音声信号の平均レベルが閾値データの示すレベル以下である場合には（ステップＳ２０９；ＹＥＳ）、制御部１７は操作ロック実行部１４に対して起動トリガーを送出する（ステップＳ２１０）。これによって、ユーザによる入力受付部１５を介した入力操作を無効化する操作ロック機能が起動される。
【００３６】
以上説明した携帯電話端末１によれば、予め照合用のキーワードに対応する照合用音声データが、音声信号のレベルを示す閾値データと対応付けて格納され、ユーザからの音声入力に応じて生成された入力音声信号と所定のキーワードに対応する音声データとが一致し、かつ、その入力音声信号の平均レベルが閾値データの示すレベル以下の場合に、操作ロック機能が実行される。このように、音声によって一連のキーワードに対応する声質と端末に対するユーザの位置とを併せて判断するので、端末と離れた位置からでもユーザの煩雑な操作を必要とすることなく、確実に端末の不正利用を防止することができる。
【００３７】
さらには、音声入力の平均レベルによってユーザの端末からの距離を簡易に判断することによって、例えば、ユーザの手元に端末が存在しない状態を判断することができるので、余計な操作や装置を必要とすること無しに、ユーザの必要度に応じた操作ロックを適切に実行させることができる。例えば、端末がユーザの手元に存在する場合にまで操作ロックを起動する必要性は低いし、ユーザの位置に関係なく操作ロック機能を起動させてしまうと当該機能の誤動作を招く場合もある。
【００３８】
また、動きセンサ部１６によって検出された検出値が所定範囲の場合に操作ロック機能が起動されるので、端末の動きの程度によって端末がユーザの手元にあるか否かを判定して、その判定結果に応じて操作ロック機能を実行することができ、ユーザの必要度に対応した端末ロック機能をより適切に実行させることができる。
【００３９】
なお、本発明は、前述した実施形態に限定されるものではない。例えば、本実施形態では、入力音声信号が予め設定されたキーワードに一致するか否かをユーザの音声入力の音質の判定と同時に行っていたが、キーワードの一致と音質の一致とを別々に実行してもよい。
【符号の説明】
【００４０】
１…携帯電話端末、１１…音声入力部（音声入力手段）、１３…音声データ格納部（照合用データ格納手段）、１４…操作ロック実行部（操作ロック実行手段）、１６…動きセンサ部（動き検出手段）、１７…制御部（制御手段）。
【図１】
2011205240.tif 000003
【図２】
2011205240.tif 000004
【図３】
2011205240.tif 000005
【図４】
2011205240.tif 000006